(57)【要約】【課題】視覚的なコントラストを解消し、かつセンサ電極とダミー配線との間に短絡が発生しても、その影響を最小限に抑えられるタッチパネルを提供する。【解決手段】細線のメッシュで構成された第１のセンサ電極６０と、第１のセンサ電極６０と絶縁され、第１のセンサ電極６０が配された領域以外の領域に配された第１のダミー配線７０とが第１の層に形成されているタッチパネルにおいて、第１のダミー配線７０を各個に細線の交点７３を１つずつ含み、相互に絶縁された第１の単位パターン７１の配列で構成し、第１のセンサ電極６０と第１のダミー配線７０とは、相互の境界に細線の断絶した隙間８１が形成されて配されながら単一の連続した第１のメッシュパターン８０を共有しているものとする。【選択図】図１
2019079133.tif 000002
【特許請求の範囲】
【請求項１】
細線のメッシュで構成された第１のセンサ電極と、前記第１のセンサ電極と絶縁され、前記第1のセンサ電極が配された領域以外の領域に配された第1のダミー配線とが第1の層に形成されているタッチパネルであって、
前記第１のダミー配線は各個に細線の交点を１つずつ含み、相互に絶縁された第１の単位パターンの配列で構成され、
前記第１のセンサ電極と前記第1のダミー配線とは、相互の境界に細線の断絶した隙間が形成されて配されながら単一の連続した第1の周期的メッシュパターンを共有していることを特徴とするタッチパネル。
【請求項２】
請求項１に記載のタッチパネルにおいて、
細線のメッシュで構成された第２のセンサ電極と、前記第２のセンサ電極と絶縁され、前記第２のセンサ電極が配された領域以外の領域に配された第２のダミー配線とが形成されている第２の層をさらに備え、
前記第２のダミー配線は各個に細線の交点を１つずつ含み、相互に絶縁された第２の単位パターンの配列で構成され、
前記第２のセンサ電極と前記第２のダミー配線とは、相互の境界に細線の断絶した隙間が形成されて配されながら単一の連続した第２の周期的メッシュパターンを共有しており、
前記第１の層と前記第２の層は透明な絶縁体を挟んで重畳されていることを特徴とするタッチパネル。
【請求項３】
請求項２に記載のタッチパネルにおいて、
前記第１の周期的メッシュパターンと前記第２の周期的メッシュパターンは、いずれも１種類の単位格子を相互に非平行な２つの周期方向とその周期方向ごとの周期とに従って並進する操作で平面充填した形状を有し、前記２つの周期方向とその周期方向ごとの周期とが相互に等しいものとされ、
前記第１の周期的メッシュパターンと前記第２の周期的メッシュパターンは、それぞれの前記２つの周期方向の一方どうしと他方どうしとがいずれも１／４周期以上３／４周期以下の範囲のずれを有するように位置合わせされて重畳されていることを特徴とするタッチパネル。
【請求項４】
請求項３に記載のタッチパネルにおいて、
前記第１の周期的メッシュパターン及び前記第２の周期的メッシュパターンの前記単位格子は共に同じ菱形とされ、
前記第１の単位パターンと前記第２の単位パターンは、共に２本の細線が交差したＸ字形状を有することを特徴とするタッチパネル。
【請求項５】
請求項３に記載のタッチパネルにおいて、
前記第１の周期的メッシュパターン及び前記第２の周期的メッシュパターンの前記単位格子は共に同じ正六角形とされ、
前記第１の単位パターンと前記第２の単位パターンは、共に３本の細線が集合したＹ字形状を有することを特徴とするタッチパネル。
【発明の詳細な説明】
【技術分野】
【０００１】
この発明はタッチ位置を検出するセンサ電極が細線のメッシュで構成されているタッチパネルに関する。
【背景技術】
【０００２】
図６及び７はこの種のタッチパネルの従来例として特許文献１に記載されている静電容量式のタッチパネルの構成を示したものである。このタッチパネルは透明基板１０上に第１の導体層、絶縁層、第２の導体層及び保護膜が順次、積層形成された構成とされている。図６中、矩形枠で囲まれた部分はセンサ電極が位置するセンサ領域２０であり、図６ではセンサ電極の詳細図示は省略されている。
【０００３】
センサ電極は第１のセンサ電極と第２のセンサ電極とよりなり、第１のセンサ電極は第１の導体層によって形成され、第２のセンサ電極は第２の導体層によって形成されている。
【０００４】
第１のセンサ電極３０は図７Ａに示したように、センサ領域２０の長辺２１と平行なＸ方向に配列された複数の島状電極３１が連結部３２によって連結されてなる電極列３３がセンサ領域２０の短辺２２と平行なＹ方向に複数、並列配置されて構成されている。
【０００５】
第２のセンサ電極４０は図７Ｂに示したように、Ｙ方向に配列された複数の島状電極４１が連結部４２によって連結されてなる電極列４３がＸ方向に複数、並列配置されて構成されている。
【０００６】
これら第１のセンサ電極３０及び第２のセンサ電極４０はそれぞれ細線のメッシュで形成されており、電極列３３と４３は互いに絶縁された状態で交差され、連結部３２と４２は互いに重なる位置に位置されている。
【０００７】
第１のセンサ電極３０の各電極列３３のＸ方向両端からは引出し配線５１がそれぞれ引き出されており、第２のセンサ電極４０の各電極列４３のＹ方向一端からは引出し配線５２がそれぞれ引き出されている。複数配列されてセンサ領域２０から引き出されている引出し配線５１，５２は図６では配列の両端に位置するもの以外の図示は省略されている。
【０００８】
矩形状をなす透明基板１０の一方の長辺の中央部分には端子部５３が配列形成されており、引出し配線５１，５２は端子部５３まで延びて端子部５３に接続されている。センサ領域２０及び引出し配線５１，５２を囲むように透明基板１０の周縁部に形成されているグランド配線５４も端子部５３に接続されている。
【０００９】
引出し配線５１，５２及び端子部５３は第１の導体層によって形成され、グランド配線５４は第１及び第２の導体層の双方に形成されている。
【００１０】
上記のような構成を有する第１及び第２の導体層は、この例では銀などの導電粒子を含む導電インキを用い、グラビアオフセット印刷によって印刷形成されるものとなっている。
【先行技術文献】
【特許文献】
【００１１】
【特許文献１】特開２０１７−１０３３１７号公報
【発明の概要】
【発明が解決しようとする課題】
【００１２】
ところで、タッチパネルにおいて、電極パターンや配線パターンを銀などの導電粒子を含む導電インキを用いて印刷形成する場合、センサ領域に位置するセンサ電極はタッチパネルが配置される表示部の視認性を損うことのないように、高い透過効率を有し、かつ視覚的に認知されにくいようにすることが重要であり、このため上述したタッチパネルのように、導電インキを用いて印刷形成されるセンサ電極は一般に細線のメッシュで構成されるものとなっている。
【００１３】
一方、このように細線のメッシュでセンサ電極を構成しても、細線のメッシュが存在する部分と存在しない部分とで視覚的なコントラストの発生は免れえず、このようなコントラストは表示部の視認性に少なからず影響を及ぼすことになる。
【００１４】
この点、上述したタッチパネルでは第１のセンサ電極３０と第２のセンサ電極４０は連結部３２と４２が互いに重なる位置に位置されて電極列３３と４３が互いに交差するように配置され、つまり第２の導体層の島状電極４１は第１の導体層において細線のメッシュが存在しない位置に、その位置を埋めるように配置される構成となっているため、第１の導体層で発生するコントラストと第２の導体層で発生するコントラストとは互いに打ち消し合うように作用し、これによりセンサ領域のコントラストが低減されるものとなっている。
【００１５】
しかしながら、第１の導体層と第２の導体層との間には絶縁層が存在しているため、第２の導体層の視覚的なコントラストと、絶縁層を介した第１の導体層の視覚的なコントラストとは同じではなく、その点で従来のタッチパネルにおいてはセンサ領域のコントラストは完全には解消されていない状況にあった。
【００１６】
センサ領域のコントラストを完全に解消するためには、例えば第１の導体層において第１のセンサ電極３０が配された領域以外の領域に第１のセンサ電極３０と同じ細線のメッシュよりなる第１のダミー配線を形成し、同様に第２の導体層においても第２のセンサ電極４０が配された領域以外の領域に第２のセンサ電極４０と同じ細線のメッシュよりなる第２のダミー配線を形成すればよい。
【００１７】
より具体的に言えば、第１の導体層及び第２の導体層のセンサ領域にはそれぞれ単一のメッシュパターンが一様に存在するようにし、メッシュを構成する細線を断絶してセンサ電極とダミー配線とを絶縁分離すればよい。この場合、配線が断絶された隙間が広すぎると、やはりコントラストが発生し、センサ電極とダミー配線の境界が目立つようになるため、隙間は極力、狭い方が好ましく、隙間は例えば２０μｍ程度にするのが好ましい。
【００１８】
しかるに、このような構成を採用すると、センサ電極とダミー配線との間で短絡（絶縁不良）が発生し、これによりセンサ電極の感知領域の変化（拡大）や静電容量の変化が発生して、タッチパネルとして所望の性能を安定して得られないといった問題が生じることが判明した。そして、このようにセンサ電極とダミー配線とが短絡する原因は、グラビアオフセット印刷におけるブランケットの膨潤によって導電インキの溶剤がブランケットに十分に吸収されず、導電インキがやわらかい状態のまま、転写、印刷されてしまうことや印刷時における導電性異物の混入といった、コストを掛けずに完全に回避することの困難な事象にあることが判明した。
【００１９】
この発明の目的はこのような状況に鑑み、センサ領域のコントラストを完全に解消すると共に、センサ電極とダミー配線との間で絶縁不良が発生しても、性能に対する影響を最小限に抑えられるようにしたタッチパネルを提供することにある。
【課題を解決するための手段】
【００２０】
請求項１の発明によれば、細線のメッシュで構成された第１のセンサ電極と、第１のセンサ電極と絶縁され、第1のセンサ電極が配された領域以外の領域に配された第1のダミー配線とが第1の層に形成されているタッチパネルにおいて、第１のダミー配線は各個に細線の交点を１つずつ含み、相互に絶縁された第１の単位パターンの配列で構成され、第１のセンサ電極と第1のダミー配線とは、相互の境界に細線の断絶した隙間が形成されて配されながら単一の連続した第1の周期的メッシュパターンを共有しているものとされる。
【００２１】
請求項２の発明では請求項１の発明において、細線のメッシュで構成された第２のセンサ電極と、第２のセンサ電極と絶縁され、第２のセンサ電極が配された領域以外の領域に配された第２のダミー配線とが形成されている第２の層をさらに備え、第２のダミー配線は各個に細線の交点を１つずつ含み、相互に絶縁された第２の単位パターンの配列で構成され、第２のセンサ電極と第２のダミー配線とは、相互の境界に細線の断絶した隙間が形成されて配されながら単一の連続した第２の周期的メッシュパターンを共有し、第１の層と第２の層は透明な絶縁体を挟んで重畳されているものとされる。
【００２２】
請求項３の発明では請求項２の発明において、第１の周期的メッシュパターンと第２の周期的メッシュパターンは、いずれも１種類の単位格子を相互に非平行な２つの周期方向とその周期方向ごとの周期とに従って並進する操作で平面充填した形状を有し、２つの周期方向とその周期方向ごとの周期とが相互に等しいものとされ、第１の周期的メッシュパターンと第２の周期的メッシュパターンは、それぞれの２つの周期方向の一方どうしと他方どうしとがいずれも１／４周期以上３／４周期以下の範囲のずれを有するように位置合わせされて重畳されているものとされる。
【００２３】
請求項４の発明では請求項３の発明において、第１の周期的メッシュパターン及び第２の周期的メッシュパターンの単位格子は共に同じ菱形とされ、第１の単位パターンと第２の単位パターンは、共に２本の細線が交差したＸ字形状を有するものとされる。
【００２４】
請求項５の発明では請求項３の発明において、第１の周期的メッシュパターン及び第２の周期的メッシュパターンの単位格子は共に同じ正六角形とされ、第１の単位パターンと第２の単位パターンは、共に３本の細線が集合したＹ字形状を有するものとされる。
【発明の効果】
【００２５】
この発明によれば、センサ領域の視覚的なコントラストを完全に解消することができ、また例えば印刷状態や印刷環境に基因してセンサ電極が配された領域以外の領域に配されたダミー配線とセンサ電極との間に短絡が発生しても、タッチパネルの性能に対する影響を最小限に抑えることができ、これにより表示部の視認性を損うことのない優れた品質のタッチパネルを安定して得ることができる。
【図面の簡単な説明】
【００２６】
【図１】この発明によるタッチパネルの一実施例における第１の層のメッシュパターンを示す部分拡大図。
【図２】この発明によるタッチパネルの一実施例における第２の層のメッシュパターンを示す部分拡大図。
【図３】この発明によるタッチパネルの他の実施例における第１の層のメッシュパターンを示す部分拡大図。
【図４】この発明によるタッチパネルの他の実施例における第２の層のメッシュパターンを示す部分拡大図。
【図５】Ａは単位格子が正六角形のメッシュパターンを示す図、ＢはＡに重畳されるＡと同様のメッシュパターンを示す図、ＣはＡとＢが重畳された状態を示す図。
【図６】タッチパネルの構成例を示す図。
【図７】Ａはタッチパネルの第１の導体層の従来構成例を示す部分拡大図、Ｂはタッチパネルの第２の導体層の従来構成例を示す部分拡大図。
【発明を実施するための形態】
【００２７】
この発明の実施形態を図面を参照して実施例により説明する。
【００２８】
図１及び２はこの発明によるタッチパネルの一実施例が有する構成の要部詳細を示したものである。
【００２９】
タッチパネルはこの例では透明な基体の一面側に、導体よりなる第１の層、絶縁体よりなる絶縁層、導体よりなる第２の層及び保護膜が順次、積層形成された構成を有する。絶縁層及び保護膜は透明材よりなり、導体よりなる第１の層及び第２の層は銀などの導電粒子を含んだ導電インキを用い、グラビアオフセット印刷によって印刷形成されている。なお、このタッチパネルは図６に示した従来例のタッチパネルとセンサ領域２０の構成が異なるものであって、センサ領域２０以外の構成は図６に示した構成と基本的に同じである。
【００３０】
図１は第１の層の印刷配線の詳細を示したものであり、センサ領域２０には第１のセンサ電極６０と第１のダミー配線７０とが形成されている。細線のメッシュで構成された第１のセンサ電極６０はＸ方向に配列された複数の島状電極６１が連結部６２によって連結されてなる電極列６３がＹ方向に複数、並列配置された構成とされ、第１のダミー配線７０はセンサ領域２０において第１のセンサ電極６０が配された領域以外の領域に第１のセンサ電極６０と絶縁されて配されている。なお、図１では第１のセンサ電極６０の連結部６２が位置する領域にはハッチングを付している。
【００３１】
第１のダミー配線７０は相互に絶縁された第１の単位パターン７１の配列で構成され、第１の単位パターン７１はこの例では２本の細線が交差したＸ字形状をなす。
【００３２】
第１のセンサ電極６０と第１のダミー配線７０は相互の境界に細線の断絶した隙間８１が形成されて配されながら単一の連続した第１の周期的なメッシュパターン８０を共有する構成とされている。第１のメッシュパターン８０の単位格子はこの例では１辺の長さが４００μｍの菱形とされ、メッシュを構成する細線の幅は７μｍとされている。Ｘ字形状をなす第１の単位パターン７１は第１のメッシュパターン８０に帰属する形状とされている。なお、隣接する第１の単位パターン７１間に設けられている隙間７２及び第１のセンサ電極６０と第１のダミー配線７０の境界の隙間８１は共に２０μｍとされている。
【００３３】
一方、図２は第２の層の印刷配線の詳細を示したものであり、センサ領域２０には第２のセンサ電極９０と第２のダミー配線１００とが形成されている。細線のメッシュで構成された第２のセンサ電極９０はＹ方向に配列された複数の島状電極９１が連結部９２によって連結されてなる電極列９３がＸ方向に複数、並列配置された構成とされ、第２のダミー配線１００はセンサ領域２０において第２のセンサ電極９０が配された領域以外の領域に第２のセンサ電極９０と絶縁されて配されている。なお、図２では図１と同様、第２のセンサ電極９０の連結部９２が位置する領域にハッチングを付している。
【００３４】
第２のダミー配線１００は相互に絶縁された第２の単位パターン１０１の配列で構成され、第２の単位パターン１０１はこの例では第１の単位パターン７１と同じＸ字形状をなす。
【００３５】
第２のセンサ電極９０と第２のダミー配線１００は相互の境界に細線の断絶した隙間１１１が形成されて配されながら単一の連続した第２の周期的なメッシュパターン１１０を共有する構成とされている。第２のメッシュパターン１１０はこの例では第１のメッシュパターン８０と同じメッシュパターンとされ、メッシュを構成する細線がセンサ領域２０の長辺２１となす角度も同じとされている。Ｘ字形状をなす第２の単位パターン１０１は第２のメッシュパターン１１０に帰属する形状とされている。なお、隣接する第２の単位パターン１０１間に設けられている隙間１０２及び第２のセンサ電極９０と第２のダミー配線１００の境界の隙間１１１は共に２０μｍとされている。
【００３６】
上述した第１の層の印刷配線と第２の層の印刷配線は絶縁層を挟んで重畳され、この際、第１の層の第１のメッシュパターン８０と第２の層の第２のメッシュパターン１１０とは互いに単位格子の菱形の辺を２００μｍずつに２分する中点で交差するように重畳される。これにより、１辺の長さが２００μｍの菱形の格子がセンサ領域２０の全面に均一に形成された状態となる。なお、第１のセンサ電極６０の電極列６３と第２のセンサ電極９０の電極列９３は連結部６２と９２が互いに重なる位置に位置されて交差される。
【００３７】
上記のような構成を有するタッチパネルによれば、第１のセンサ電極６０が形成される第１の層のセンサ領域２０には第１のメッシュパターン８０が一様に存在し、第２のセンサ電極９０が形成される第２の層のセンサ領域２０にも第２のメッシュパターン１１０が一様に存在する状態となっており、第１のメッシュパターン８０及び第２のメッシュパターン１１０は細線の断絶した隙間７２，８１及び１０２，１１１をそれぞれ一部に有するものの、これら隙間７２，８１，１０２，１１１は２０μｍと視認されない狭さとされている。よって、第１の層及び第２の層にはいずれも細線のメッシュの有無、断絶に基因する視覚的なコントラストは発生せず、第１の層と第２の層が重畳された状態においても当然に視覚的なコントラストは発生しない。
【００３８】
一方、第１のダミー配線７０及び第２のダミー配線１００はいずれも相互に絶縁された第１の単位パターン７１及び第２の単位パターン１０１の配列で構成されているため、第１のセンサ電極６０と第１のダミー配線７０との間や第２のセンサ電極９０と第２のダミー配線１００との間で局部的に絶縁不良が発生しても、そのセンサ電極と隣接する絶縁不良が発生した箇所のただ１つの単位パターンだけがセンサ電極と短絡するにとどまり、よって感知領域の変化や静電容量の変化は最小限に抑えられ、つまり絶縁不良が発生してもタッチパネルの性能に対する影響を最小限に抑えることができる。
【００３９】
なお、メッシュパターンにおける細線の交点は、メッシュパターンの印刷に際し、導電インキの溜りを形成するので、ダミー配線の単位パターンを細線の交点のないパターンとしてしまうと、ダミー配線が配された領域に印刷されるインキ量の分布密度がセンサ電極が配された領域に印刷されるインキ量の分布密度に対して低くなり、またインキ溜りに基因するインキの滲みがダミー配線が配された領域には生じないものとなり、これらにより２つの領域間に視覚的なコントラストが生じることになるが、この例では第１のダミー配線７０及び第２のダミー配線１００をそれぞれ構成する第１の単位パターン７１及び第２の単位パターン１０１はいずれもＸ字形状とされて交点７３及び１０３を１つずつ有するものとなっているため、第１のセンサ電極６０が形成される第１の層及び第２のセンサ電極９０が形成される第２の層にはこのようなインキ溜りの有無に基因するコントラストも発生しない。よって、この例によれば、センサ領域２０のコントラストを完全に解消することができる。
【００４０】
加えて、第１のメッシュパターン８０と第２のメッシュパターン１１０は上述したように単位格子の菱形の辺を２００μｍずつに２分する中点で交差するように重畳されるため、第１のメッシュパターン８０を構成する細線と第２のメッシュパターン１１０を構成する細線とは近接せず、よって近接した細線の組があたかも１本の太い線のように、視認可能な相対的に濃い線を描くといったことも発生しない。
【００４１】
ここで、第１のセンサ電極６０と第１のダミー配線７０が設けられる第１の層に形成される第１のメッシュパターン及び第２のセンサ電極９０と第２のダミー配線１００が設けられる第２の層に形成される第２のメッシュパターンについて、さらに詳述する。
【００４２】
第１のメッシュパターンと第２のメッシュパターンは、いずれも１種類の単位格子を相互に非平行な２つの周期方向とその周期方向ごとの周期とに従って並進する操作で平面充填した形状を有し、第１のメッシュパターンと第２のメッシュパターンは、それらの２つの周期方向とその周期方向ごとの周期が相互に等しいものとされる。
【００４３】
第１のメッシュパターンと第２のメッシュパターンは所定のずれを有するように位置合わせされて重畳される。上述した例では第１のメッシュパターンと第２のメッシュパターンの単位格子は１辺の長さが４００μｍの菱形とされて菱形の辺を２００μｍずつに２分する中点で交差するように第１のメッシュパターンと第２のメッシュパターンが重畳され、即ち第１のメッシュパターンと第２のメッシュパターンは２つの周期方向の一方どうしと他方どうしとがいずれも１／２周期のずれを有するように位置合わせされて重畳されている。これにより、第１のメッシュパターンと第２のメッシュパターンを構成する細線どうしが最大の間隔をもって離れるようにし、かつ重畳された状態で１辺の長さが２００μｍの菱形が均一に形成されるようにしているが、第１のメッシュパターンと第２のメッシュパターンの重畳においては２つの周期方向の一方どうしと他方どうしとがいずれも１／４周期以上３／４周期以下の範囲のずれを有するように位置合わせすればよく、これにより重畳による細線どうしの近接を十分に回避することができる。
【００４４】
単位格子は上述した例では菱形としているが、これに限らず、多様な形状を採用することができる。例えば単位格子の形状は正方形や正六角形であってもよい。これらの格子パターンの２つの周期方向の相対角度は正方形では９０°、正六角形では６０°となる。また、その周期は相互に平行な対向する辺どうしの間隔（正方形では１辺の長さ）となる。
【００４５】
図３及び４は単位格子が正六角形とされたメッシュパターンが一様に存在する構成とされたこの発明によるタッチパネルの他の実施例における第１の層及び第２の層の印刷配線の詳細を図１及び２と同様に示したものであり、図１，２における構成要素と対応する部分には同一符号にダッシュ（’）を付して示し、その詳細な説明を省略する。
【００４６】
この例では第１のダミー配線７０’及び第２のダミー配線１００’をそれぞれ構成する第１の単位パターン７１’及び第２の単位パターン１０１’は３本の細線が集合したＹ字形状をなすものとされており、図１及び２における第１の単位パターン７１及び第２の単位パターン１０１と同様、細線の交点７３’，１０３’を各個に１つずつ含む形状とされ、第１の周期的なメッシュパターン８０’及び第２の周期的なメッシュパターン１１０’にそれぞれ帰属する形状とされている。なお、図３，４では図１，２と同様、第１のセンサ電極６０’の連結部６２’が位置する領域及び第２のセンサ電極９０’の連結部９２’が位置する領域にハッチングを付している。
【００４７】
第１の層の第１のメッシュパターン８０’及び第２の層の第２のメッシュパターン１１０’の単位格子の形状をこのように正六角形とし、第１の単位パターン７１’及び第２の単位パターン１０１’の形状をＹ字形状としても、前述したタッチパネルと同様、センサ領域２０のコントラストが完全に解消され、かつセンサ電極とダミー配線との間に短絡が発生してもその影響を最小限に抑えることができるタッチパネルを得ることができる。
【００４８】
図５Ａ，Ｂはこのように単位格子が正六角形とされた周期的なメッシュパターンをそれぞれ模式的に示したものであり、図５Ｃは図５Ａ，Ｂに示したメッシュパターン１２１，１２２が、２つの周期方向の一方どうしと他方どうしとがいずれも１／２周期のずれを有するように位置合わせされて重畳された状態を示したものである。重畳により正六角形を３分割した菱形が一様に形成された状態となる。
【符号の説明】
【００４９】
１０    透明基板                          ２０    センサ領域
２１    長辺                              ２２    短辺
３０    第１のセンサ電極                  ３１    島状電極
３２    連結部                            ３３    電極列
４０    第２のセンサ電極                  ４１    島状電極
４２    連結部                            ４３    電極列
５１，５２    引出し配線                  ５３    端子部
５４    グランド配線                      ６０，６０’    第１のセンサ電極
６１，６１’    島状電極                  ６２，６２’    連結部
６３，６３’    電極列                    ７０，７０’    第１のダミー配線
７１，７１’    第１の単位パターン        ７２，７２’    隙間
７３，７３’    交点                      ８０，８０’    第１のメッシュパターン
８１，８１’    隙間                      ９０，９０’    第２のセンサ電極
９１，９１’    島状電極                  ９２，９２’    連結部
９３，９３’    電極列                    １００，１００’    第２のダミー配線
１０１，１０１’    第２の単位パターン    １０２，１０２’    隙間
１０３，１０３’    交点
１１０，１１０’    第２のメッシュパターン
１１１，１１１’    隙間                  １２１，１２２    メッシュパターン
【図１】
2019079133.tif 000003
【図２】
2019079133.tif 000004
【図３】
2019079133.tif 000005
【図４】
2019079133.tif 000006
【図５】
2019079133.tif 000007
【図６】
2019079133.tif 000008
【図７】
2019079133.tif 000009